(57)【要約】【課題】推進効率を高めることができると共に、模型船と実船の間の尺度影響を抑えて船尾ダクトを容易に開発すること。【解決手段】船体に沿った流れを利用して推力を発生させる船尾ダクト（２０）を、船体の幅方向のダクト幅よりも、船体の高さ方向のダクト高さが大きな縦長形状に形成して、船体の両側面に沿った流れを利用してダクト側部に大きな推力を発生させている。尺度影響を受けやすい伴流利得よりも、尺度影響を受け難いダクト自体に発生する推力を重視して設計できるため、比較的容易に船尾ダクトを開発することができる。【選択図】図４
2018079832.tif 000002
【特許請求の範囲】
【請求項１】
船体に沿った流れを利用して推力を発生させる船尾ダクトであって、
前記船体の幅方向のダクト幅よりも、前記船体の高さ方向のダクト高さが大きな縦長形状に形成されたことを特徴とする船尾ダクト。
【請求項２】
前記船体の幅方向で対向する一対の直線部分を有することを特徴とする請求項１に記載の船尾ダクト。
【請求項３】
前記ダクト幅よりも、前記ダクト高さが大きな縦長の楕円筒形状に形成されたことを特徴とする請求項１又は請求項２に記載の船尾ダクト。
【請求項４】
前記プロペラの回転中心に対して、ダクト中心が上方に偏って設けられていることを特徴とする請求項１から請求項３のいずれかに記載の船尾ダクト。
【請求項５】
前記船体の前後方向でダクト下部のダクト長さがダクト上部のダクト長さよりも短く形成されていることを特徴とする請求項１から請求項４のいずれかに記載の船尾ダクト。
【発明の詳細な説明】
【技術分野】
【０００１】
本発明は、船体の船尾でプロペラの前方に取り付けられる船尾ダクトに関する。
【背景技術】
【０００２】
一般に船体の船尾には、船体表面から流れが剥離してビルジ渦（船尾渦）が生じており、このビルジ渦をプロペラで回収してエネルギー効率を高める方法が検討されている。従来、ビルジ渦を回収するものとして、プロペラの前方に配置された円筒形の船尾ダクトが知られている（例えば、特許文献１参照）。特許文献１の船尾ダクトにビルジ渦が当たることで、遅くなった流れがプロペラに導かれてプロペラ効率が向上される。また、船尾には船体表面に沿った流れとビルジ渦の下降流で斜流が生じており、この斜流が船尾ダクトに所定角度で入流することでダクト自体に推力が発生される。
【先行技術文献】
【特許文献】
【０００３】
【特許文献１】特開２００８−１３７４６２号公報
【発明の概要】
【発明が解決しようとする課題】
【０００４】
ところで、特許文献１に記載の船尾ダクトでプロペラ効率を向上させるためには、船尾ダクトでビルジ渦を回収するためにビルジ渦の通過位置を特定する必要がある。通常は、模型試験で得られた伴流分布からビルジ渦の通過位置を推定し、このビルジ渦の通過位置に合わせて船尾ダクトのダクト寸法や取付位置等が決定される。しかしながら、模型船と実船では尺度影響によって伴流分布が異なり、船尾付近に生じるビルジ渦の通過位置が変わるため、模型試験やシミュレーションでは実船の船尾ダクトに対する効果的なダクト寸法等を決定することが困難になっていた。
【０００５】
本発明はかかる点に鑑みてなされたものであり、船体の推進効率を高めると共に、模型船と実船の間の尺度影響を抑えて比較的容易に開発することができる船尾ダクトを提供することを目的の１つとする。
【課題を解決するための手段】
【０００６】
本発明の一態様の船尾ダクトは、船体に沿った流れを利用して推力を発生させる船尾ダクトであって、前記船体の幅方向のダクト幅よりも、前記船体の高さ方向のダクト高さが大きな縦長形状に形成されたことを特徴とする。
【０００７】
この構成によれば、船尾ダクトのダクト高さがダクト幅よりも大きな縦長形状に形成されているため、船体の両側面に沿った流れがダクト内に流入することでダクト側部に大きな推力を発生させることができる。よって、ビルジ渦の通過位置に関わらず、ダクト側部の推力によって船体の推進効率を高めることができる。また、ビルジ渦の通過位置に合わせてダクト寸法等を設計する船尾ダクトとは異なり、船尾ダクトの推力は模型船と実船の間の尺度影響が受け難いため、比較的容易に船尾ダクトを開発（設計）することができる。
【０００８】
また本発明の上記船尾ダクトにおいて、前記船体の幅方向で対向する一対の直線部分を有する。この構成によれば、船尾ダクトの一対のダクト側部の直線部分によって船体の両側面に沿った流れを広い範囲で受けることができ、効率的に推力を発生させることができる。
【０００９】
また本発明の上記船尾ダクトにおいて、前記ダクト幅よりも、前記ダクト高さが大きな縦長の楕円筒形状に形成されている。この構成によれば、船尾ダクトの応力集中が緩和されると共に、船尾ダクトの周囲で流れの剥離領域を減少させることができる。
【００１０】
また本発明の上記船尾ダクトにおいて、前記プロペラの回転中心に対して、ダクト中心が上方に偏って設けられている。この構成によれば、船尾の下方よりも上方で船体の両側面に沿ってスムーズな流れが生じているため、船尾ダクトで船尾の上側のスムーズな流れを拾うことで推力をより効果的に得ることができる。
【００１１】
また本発明の上記船尾ダクトにおいて、前記船体の前後方向でダクト下部のダクト長さがダクト上部のダクト長さよりも短く形成されている。この構成によれば、ダクト上部で船尾における下降流を利用して推力を発生させることができる一方で、推力の発生に寄与し難いダクト下部を短くすることで船体に対する抵抗を減らすことができる。
【発明の効果】
【００１２】
本発明によれば、船尾ダクトをダクト幅よりもダクト高さが大きな縦長形状に形成したことで、船体の推進効率を高めることができると共に、模型船と実船の間の尺度影響を抑えて比較的容易に船尾ダクトを開発することができる。
【図面の簡単な説明】
【００１３】
【図１】本実施の形態の船尾付近の斜視図である。
【図２】船尾付近のビルジ渦の通過位置の説明図である。
【図３】比較例の船尾ダクトの斜視図である。
【図４】本実施の形態の船尾ダクトの斜視図である。
【図５】本実施の形態の船尾ダクトを四方から見た図である。
【図６】本実施の形態の船尾ダクトの推力の発生原理の説明図である。
【図７】船尾ダクトに流入する船尾付近の流れの説明図である。
【図８】実施品の船尾ダクトが船尾に取り付けられた状態を示す図である。
【図９】実施品の船尾ダクトの斜視図である。
【図１０】実施品の船尾ダクトの六面図である。
【発明を実施するための形態】
【００１４】
以下、添付図面を参照して、本実施の形態の船尾ダクトについて説明する。図１は、本実施の形態の船尾ダクトの斜視図である。図２は、船尾付近のビルジ渦の通過位置の説明図である。図３は、比較例の船尾ダクトの斜視図である。なお、以下の説明では、船尾ダクトの一例を示しており、この例に限定されるものではない。
【００１５】
図１に示すように、船体の船尾１０では船底が切り上がっており、この切り上がった船尾１０の後部にプロペラ１１が回転可能に支持されている。船尾１０付近には、船体の前進によって船体表面で引き摺られた流れの遅い領域（伴流）が広がっており、流れの遅い伴流の中でプロペラ１１が回転されることで推進効率が向上されている。プロペラ１１の前方には、船体表面に沿った流れをプロペラ１１に導く船尾ダクト２０が取り付けられている。また、プロペラ１１の後方には、水流を捉える舵板１２が船体に対して鉛直軸回りに旋回可能に取り付けられている。
【００１６】
上記したように、船尾１０では船底が切り上がっているため、船尾１０付近にはビルジ渦を含む複雑な流れが生じている。この複雑な流れが船尾ダクト２０で整流されることで船体抵抗が低減されると共に、ビルジ渦が船尾ダクト２０の前縁に当たってプロペラ１１に遅い流れを導くことで伴流利得が向上されている。また、船体表面に沿った流れが所定角度で船尾ダクト２０に流入することで、船尾ダクト２０の内外の圧力差によって水流から船尾ダクト２０が受ける力の前進成分によって推力が発生している。このように、プロペラ１１の前方に船尾ダクト２０が取り付けられることで船体の推進効率（省エネルギー化）が向上されている。
【００１７】
ところで、図２Ａに示すように、船尾１０（図１参照）では船体形状に合わせて不均一な流れが作られており、プロペラ１１の上側では船体に干渉して流れが遅くなると共にビルジ渦１９が通過している。このため、ビルジ渦１９を回収して遅い流れをプロペラ１１に導くためには、ビルジ渦１９の通過位置に合わせて船尾ダクトのダクト寸法を設計しなければならない。また、図２Ｂに示すように、一般的な船尾ダクト５０に推力を発生させるためには、ビルジ渦１９（図２Ａ参照）の下降流と船体背後の流れから成る斜流をダクト上部に対して所定角度で流入させる必要がある。
【００１８】
ここで、図３Ａの比較例１に示すように、一般的な船尾ダクト３０は円筒状に形成されており、ビルジ渦の通過位置に応じたダクト寸法で形成されている。プロペラの上側ではビルジ渦が通過するため、ダクト上部３１でビルジ渦が回収されて伴流利得が向上されると共に、ダクト上部３１に流れ込む斜流によって推力が発生されている。一方で、プロペラの下側ではビルジ渦が通過し難いため、ダクト下部３２は伴流利得の向上や推力の発生に寄与しておらず、船体に対する抵抗になっている。このように、一般的な船尾ダクト３０では、ダクト下部３２が推進効率の向上に貢献していない。
【００１９】
このため、図３Ｂの比較例２に示すように、伴流利得の向上や推力の発生に寄与しない下半部を無くした船尾ダクト４０が提案されている。船尾ダクト４０は、アーチ状のダクト上部４１と平坦状のダクト下部４２からなる半円筒状に形成されている。これにより、ダクト下部４２の抵抗が減ると共に、ダクト上部４１でビルジ渦が回収されて伴流利得が向上され、さらにダクト上部４１に流れ込む斜流によって推力が発生されている。
【００２０】
このような船尾ダクト３０、４０は、ビルジ渦を有効利用するために、ビルジ渦の通過位置に合わせてダクト寸法や取り付け位置が設計されている。ダクトの設計時には、模型試験で得られた伴流分布からシミュレーションによってビルジ渦の通過位置が推定される。しかしながら、模型船と実船では尺度影響によって伴流分布が異なっており、実船におけるビルジ渦の通過位置を推定することが困難である。よって、模型試験を基に実船に対して船尾ダクトを設計したとしても、船尾ダクトがビルジ渦から外れて十分な効果が得られないおそれがある。
【００２１】
そこで、本実施の形態の船尾ダクト２０は、ビルジ渦を有効利用する代わりに、船体の両側面に沿った流れを利用して船尾ダクト２０の一対のダクト側部２３に強い推力を発生させるようにしている（図４参照）。また、推力は模型船と実船との尺度影響の影響が受け難いくいため、模型試験の試験結果から船尾ダクト２０が設計し易くなっている。さらに、ビルジ渦の強弱に関わらずに推力を発生することができるため、強いビルジ渦が発生する幅広の低速船だけでなく、ビルジ渦が弱い幅狭の高速船にも船尾ダクト２０を取り付けて船体の推進効率を向上させることができる。
【００２２】
以下、図４及び図５を参照して、本実施の形態の船尾ダクトについて説明する。図４は、本実施の形態の船尾ダクトの斜視図である。図５は、本実施の形態の船尾ダクトを四方から見た図である。なお、図５には、船尾ダクトの正面図、左側面図、縦断面図、横断面図が記載されている。また、船尾ダクトのダクト下部は実際には切り欠かれて形成されているが、図５においては、説明の便宜上、ダクト下部の切り欠きを省略している。
【００２３】
図４及び図５に示すように、船尾ダクト２０は、船体の幅方向のダクト幅よりも船体の高さ方向のダクト高さが大きな縦長の楕円筒状に形成されている。船尾ダクト２０は、断面視で翼型形状であり、船舶の進行方向に対して所定の迎角に形成されている。また、船尾ダクト２０の一対のダクト側部２３には直線部分２４が形成されており、直線部分２４によって一対のダクト側部２３が広く形成されている。詳細は後述するが、船尾ダクト２０が縦長であるため、船体の両側面に沿った流れを一対のダクト側部２３の広い範囲で受けて、船尾ダクト２０に強い推力を発生させている。
【００２４】
また、船尾ダクト２０が滑らかな楕円筒状に形成されているため、船尾ダクト２０に対する応力集中が緩和される。また、船尾ダクト２０は、プロペラの回転中心に対してダクト中心が上方に偏って設けられている。船尾１０の上側側面部は、船尾端に向かって絞られているため、船尾１０の上側側面部を沿う流れは船体推進方向に対して傾きが大きい。そのため船尾ダクト２０の迎え角を大きく取ることで推力を効果的に得ることができる。なお、船尾１０の上側にはビルジ渦が通過するため、ビルジ渦の回収による伴流利得を期待することもできる。
【００２５】
さらに、船体の前後方向でダクト下部２２のダクト長さがダクト上部２１のダクト長さよりも短く形成されている。これにより、ダクト上部２１で船尾１０に発生した下降流を利用して推力を発生させることができ、推力の発生に寄与し難いダクト下部２２を短くすることで船体に対する抵抗を減らすことができる。なお、船尾ダクト２０の直線部分２４の大きさは、船体に対する船尾ダクト２０の設置による推力向上と船尾ダクト２０の設置による抵抗増加のバランスを考慮して、船尾ダクト２０の推力によって船体の推進効率が向上する範囲内で設計されている。
【００２６】
例えば、ダクト後端２５側のダクト幅Ｗがプロペラ直径の４０％のときに、ダクト後端２５の直線部分２４の大きさＬは、ダクト後端２５においてプロペラ径の５％以上、３０％以下であることが好ましく、さらにプロペラ径の５％以上、２０％以下であることがより好ましい。なお、ダクト前端２６側のダクト幅及び直線部分２４の大きさは、ダクト後端２５側でダクト幅及び直線部分２４の大きさが決定されることで、ダクト側部２３及びダクト上部２１の開き角θ１、θ２や、ダクト上部２１及びダクト下部２２の側面投影角θ３、θ４等によって機械的に決定される。
【００２７】
このように、船尾ダクト２０を縦長形状にすることによって、ビルジ渦の通過位置を考慮していないためビルジ渦の回収による伴流利得が低減するものの、船体の両側面に沿った流れを利用してダクト自体に大きな推力を発生させることができる。また、ビルジ渦のように尺度影響を受けることがないため、模型試験の試験結果を利用して船尾ダクト２０を設計することができる。さらに、ビルジ渦を利用するものではないため、低速船だけでなく高速船に取り付けても、船尾ダクト２０の推力によって船体の推進効率を向上させることが可能になっている。
【００２８】
図６及び図７を参照して、船尾ダクトの推力の発生原理について説明する。図６は、本実施の形態の船尾ダクトの推力の発生原理の説明図である。図７は、船尾ダクトに流入する船尾付近の流れの説明図である。なお、図７Ａは本実施の形態の船尾ダクトに流入する船尾付近の流れを示し、図７Ｂは比較例２の船尾ダクトに流入する船尾付近の流れを示している。
【００２９】
図６に示すように、船尾１０付近を上方から見ると、船尾１０の両側面に沿った流れが船尾ダクト２０に流れ込んでいる。このとき、船尾ダクト２０の断面が翼型形状であり、船尾１０の両側面に沿った流れに対して船尾ダクト２０が所定の迎え角に形成されている。これにより、船尾ダクト２０の内外の圧力差によって船尾ダクト２０には翼弦に対する直交方向に水流から力Ｆａが作用し、この水流から受ける力Ｆａの前進成分Ｆｂが推力として船尾ダクト２０に作用している。このように船尾ダクト２０の左右両側の一対のダクト側部２３に推力が均一に発生している。
【００３０】
図７Ａに示すように、船尾ダクト２０は、縦長の楕円筒形状に形成されているため、船尾１０の両側面に沿った流れを、直線部分２４を含むダクト側部２３の広い範囲で受けることで強い推力を発生させている。さらに、船尾ダクト２０は、ダクト側部２３で発生した推力に加え、船尾１０中央の下降流をダクト上部２１で受けることで推力を発生させている。
【００３１】
一方で、図７Ｂに示すように、比較例２の半円筒状の船尾ダクト４０は、船尾１０中央の下降流を利用して推力を発生させることを前提としている。また、船尾ダクト４０は、ビルジ渦を回収した伴流利得を得るものであるため、ビルジ渦の通過しない下半部を平坦にして全体的な抵抗を抑えている。このため、船尾ダクト４０のダクト側部４３が小さく形成され、船尾ダクト４０のダクト側部４３では狭い範囲で船尾１０の両側面に沿った流れを受けるため、本実施の形態の船尾ダクト２０と比較して推力が弱くなる。
【００３２】
ここで、本実施の形態の船尾ダクト２０は、比較例１、２の船尾ダクト３０、４０（図３Ａ、３Ｂ参照）と比較して、伴流利得が低いものの、推力が大きく向上している。伴流利得は尺度影響を受けるため、模型船を用いた模型試験で伴流利得が高くても、実船で同じ伴流利得を得ることができるとは限らない。したがって、比較例１、２の船尾ダクト３０、４０のダクト形状を実船に適用しても、十分な伴流利得を得ることができないおそれがある。一方で、本実施の形態の船尾ダクト２０は、尺度影響を受け難い推力に特化して設計されているため、船尾ダクト２０を実船に適用しても、模型試験と同様に十分な推力を得ることができる。
【００３３】
以上のように、本実施の形態の船尾ダクト２０においては、ダクト幅がダクト高さよりも大きな縦長形状に形成されているため、船体の両側面に沿った流れがダクト内に流入することでダクト側部２３に大きな推力を発生させることができる。よって、ビルジ渦の通過位置に関わらず、ダクト側部２３の推力によって船体の推進効率を向上することができる。また、ビルジ渦の通過位置に合わせてダクト寸法等を設計する船尾ダクト３０、４０とは異なり、船尾ダクト２０の推力は模型船と実船の間の尺度影響が受け難いため比較的容易に船尾ダクト２０を開発することができる。
【００３４】
なお、本実施の形態の船尾ダクトは、図８から図１０に示すような実施態様で実施されてもよい。図８は、実施品の船尾ダクトが船尾に取り付けられた状態を示す図である。図９は、実施品の船尾ダクトの斜視図である。図１０は、実施品の船尾ダクトの六面図である。なお、図８では、船体及び船尾を二点鎖線で示している。
【００３５】
なお、本実施の形態では、船尾ダクトが縦長の楕円筒形状に形成されたが、この構成に限定されない。船尾ダクトは、ダクト幅よりもダクト高さが大きな縦長形状に形成されていればよい。なお、本実施の形態では、船尾ダクトの前端及び後端の両方で、ダクト幅よりもダクト高さが大きな縦長形状に形成されたが、船尾ダクトの後端及び前端のいずれかでダクト幅よりもダクト高さが大きな縦長形状に形成されてもよい。
【００３６】
また、本実施の形態では、船尾ダクトの一対のダクト側部が直線部分を有する構成にしたが、この構成に限定されない。船尾ダクトは、船体の両側面に沿った流れを一対のダクト側部の広い範囲で捉えることができればよく、一対のダクト側部が直線部分を有さなくてもよい。
【００３７】
また、本実施の形態では、船尾ダクトのダクト中心がプロペラの回転中心に対して上方に偏って設けられる構成にしたが、この構成に限定されない。船尾ダクトは、船体の推力を向上させる位置に設けられていればよい。
【００３８】
また、本実施の形態では、船尾ダクトのダクト下部のダクト長さがダクト上部のダクト長さよりも短く形成されたが、この構成に限定されない。ダクト下部及びダクト上部のダクト長さは特に限定されず、例えば、ダクト下部及びダクト上部のダクト長さが同じ長さに形成されていてもよい。
【００３９】
また、本発明の各実施の形態を説明したが、本発明の他の実施の形態として、上記実施の形態及び変形例を全体的又は部分的に組み合わせたものでもよい。
【００４０】
また、本発明の実施の形態は上記の実施の形態及び変形例に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施形態をカバーしている。
【００４１】
また、本実施の形態では、本発明を船舶の船尾に取り付けられる船尾ダクトについて説明したが、プロペラの前方に取り付けられて、省エネルギー化を実現できる他のダクトに適用することも可能である。
【産業上の利用可能性】
【００４２】
以上説明したように、本発明は、推進効率を向上すると共に、模型船と実船の間の尺度影響を抑えて比較的容易に船尾ダクトを開発することができるという効果を有し、特に、多くの船型の船尾に取り付けられる船尾ダクトに有用である。
【符号の説明】
【００４３】
１０  船尾
１１  プロペラ
１９  ビルジ渦
２０  船尾ダクト
２１  ダクト上部
２２  ダクト下部
２３  ダクト側部
２４  直線部分
【図１】
2018079832.tif 000003
【図２】
2018079832.tif 000004
【図３】
2018079832.tif 000005
【図４】
2018079832.tif 000006
【図５】
2018079832.tif 000007
【図６】
2018079832.tif 000008
【図７】
2018079832.tif 000009
【図８】
2018079832.tif 000010
【図９】
2018079832.tif 000011
【図１０】
2018079832.tif 000012